(57)【特許請求の範囲】
【請求項１】
回転軸と一体に回転する羽根車と、
吸込口とボリュート室を有する羽根車ケーシングと、を備え、
前記羽根車ケーシングの内面には、前記吸込口から前記ボリュート室まで延びる溝が形成され、
前記羽根車は、
前記回転軸が固定されるハブと、
前記ハブから螺旋状に延びる後退翼と、を有し、
前記後退翼は、
前記ハブから螺旋状に延びる前縁部と、
前記前縁部から螺旋状に延びる後縁部と、を有し、
前記前縁部は、該前縁部の内端から外端にわたって形成される前側曲面を有することを特徴とする渦巻ポンプ。
【請求項２】
前記前縁部の厚さに対する前記前側曲面の曲率半径の比が１／７以上１／２以下の範囲にあることを特徴とする請求項１に記載の渦巻ポンプ。
【請求項３】
前記前縁部の厚さに対する前記前側曲面の曲率半径の比が１／４以上１／２以下の範囲にあることを特徴とする請求項２に記載の渦巻ポンプ。
【請求項４】
前記前縁部の厚さに対する前記前側曲面の曲率半径の比は、前記ハブからの距離に従って徐々に大きくなることを特徴とする請求項２に記載の渦巻ポンプ。
【請求項５】
前記前縁部は、該前縁部の内端から外端にわたって形成される後側曲面を有することを特徴とする請求項１乃至４のいずれか一項に記載の渦巻ポンプ。
【請求項６】
前記後縁部は、前記前縁部の外端に接続された前記後縁部の始端から前記後縁部の終端まで形成される前側角部と後側角部とを有することを特徴とする請求項１乃至４のいずれか一項に記載の渦巻ポンプ。
【発明の詳細な説明】
【技術分野】
【０００１】
本発明は、渦巻ポンプに関し、特に、繊維状物質を含む液体を移送する渦巻ポンプに関する。
【背景技術】
【０００２】
従来から、下水管を流れる汚水などの液体を移送するために、渦巻ポンプが用いられている。このような汚水には、紐または布などの繊維状物質が含まれていることがある。この繊維状物質が羽根車の翼に堆積すると、ポンプを閉塞するおそれがある。そこで、繊維状物質の羽根車への堆積を防ぐために、後退翼を有する羽根車を備えた渦巻ポンプがある（特許文献１参照）。
【０００３】
図１７は後退翼を有する羽根車を備えた渦巻ポンプを示す断面図である。図１７に示すように、羽根車１００は複数の後退翼１０１を備えている。羽根車１００は回転軸１０２に固定されており、羽根車ケーシング１０５内に収容されている。羽根車１００は図示しない駆動装置（モータ等）によって回転軸１０２と一体に図１７に示す実線矢印方向に回転する。液体は、羽根車１００の回転により羽根車ケーシング１０５内に形成されたボリュート室１１３に周方向に吐出される。ボリュート室１１３を流れる液体は吐出口１０７を通って外部に排出される。
【０００４】
後退翼１０１は、螺旋状に延びる前縁部１０１ａと、前縁部１０１ａから螺旋状に延びる後縁部１０１ｂとを有する。後退翼１０１は、前縁部１０１ａがその基端から羽根車１００の回転方向と逆方向に延びる螺旋形状を有している。
【０００５】
羽根車ケーシング１０５にはボリュート室１１３の巻き始め部を構成する舌部１１０が設けられている。ボリュート室１１３を流れる液体は舌部１１０で分流され、液体の大部分は羽根車ケーシング１０５の吐出口１０７に流れ、液体の一部はボリュート室１１３内を循環する（図１７に示す点線矢印参照）。
【０００６】
図１８は羽根車１００を収容する羽根車ケーシング１０５を吸込口１０６側から見た図であり、図１９は、羽根車ケーシング１０５の内面を駆動装置側から見た図である。図１９では羽根車１００の図示は省略されている。図１８および図１９に示すように、羽根車ケーシング１０５の内面には吸込口１０６からボリュート室１１３まで螺旋状に延びる溝１０８が形成されている。この溝１０８は、液体に含まれる繊維状物質を、回転する羽根車１００によって吸込口１０６からボリュート室１１３に移動させるために設けられている。
【先行技術文献】
【特許文献】
【０００７】
【特許文献１】実開昭６４−１１３９０号公報
【発明の概要】
【発明が解決しようとする課題】
【０００８】
図２０乃至図２４は、繊維状物質１０９が溝１０８を通じてボリュート室１１３に移送される様子を示す図である。図２０乃至図２４において、溝１０８は二点鎖線で表示されている。図２０に示すように、液体に含まれる繊維状物質１０９は、回転する羽根車１００の前縁部１０１ａによって溝１０８の入口に運ばれ、溝１０８内に押し込まれる。繊維状物質１０９は、溝１０８と羽根車１００の後縁部１０１ｂとの間に挟まれた状態で、回転する羽根車１００の後縁部１０１ｂにより押されて溝１０８に沿って移動する（図２１乃至図２３参照）。そして、図２４に示すように、繊維状物質１０９はボリュート室１１３に放出される。
【０００９】
上述したように、繊維状物質１０９は、回転する羽根車１００の後退翼１０１によって溝１０８に押し込まれ、その後、図２０乃至図２４に示すように溝１０８に沿ってボリュート室１１３に運ばれる。しかしながら、繊維状物質１０９が後退翼１０１の前縁部１０１ａに引っかかって、繊維状物質１０９を溝１０８の入口にまで運ぶことができない場合があった。後続の繊維状物質が同様に前縁部１０１ａに引っかかると、繊維状物質が羽根車１００上に堆積し、羽根車１００の回転を阻害してしまう。
【００１０】
本発明は、上述の事情に鑑みなされたもので、液体に含まれる繊維状物質を羽根車ケーシングの内面に形成された溝に円滑に導き、かつ繊維状物質を溝に確実に押し込み、吐出口から吐出させることができる渦巻ポンプを提供することを目的とする。
【課題を解決するための手段】
【００１１】
上述した目的を達成するために、本発明の一態様は、回転軸と一体に回転する羽根車と、吸込口とボリュート室を有する羽根車ケーシングと、を備え、前記羽根車ケーシングの内面には、前記吸込口から前記ボリュート室まで延びる溝が形成され、前記羽根車は、前記回転軸が固定されるハブと、前記ハブから螺旋状に延びる後退翼と、を有し、前記後退翼は、前記ハブから螺旋状に延びる前縁部と、前記前縁部から螺旋状に延びる後縁部と、を有し、前記前縁部は、該前縁部の内端から外端にわたって形成される前側曲面を有することを特徴とする渦巻ポンプである。
【００１２】
本発明の好ましい態様は、前記前縁部の厚さに対する前記前側曲面の曲率半径の比が１／７以上１／２以下の範囲にあることを特徴とする。
本発明の好ましい態様は、前記前縁部の厚さに対する前記前側曲面の曲率半径の比が１／４以上１／２以下の範囲にあることを特徴とする。
本発明の好ましい態様は、前記前縁部の厚さに対する前記前側曲面の曲率半径の比は、前記ハブからの距離に従って徐々に大きくなることを特徴とする。
【００１３】
本発明の好ましい態様は、前記前縁部は、該前縁部の内端から外端にわたって形成される後側曲面を有することを特徴とする。
本発明の好ましい態様は、前記後縁部は、前記前縁部の外端に接続された前記後縁部の始端から前記後縁部の終端まで形成される前側角部と後側角部とを有することを特徴とする。
【発明の効果】
【００１４】
本発明によれば、後退翼の前縁部が前側曲面を有するので、繊維状物質は、前縁部に引っかかることなく、前縁部上を円滑に滑って溝の入口まで移動することができる。さらに、繊維状物質は、前側曲面によって溝に押し込まれる。したがって、繊維状物質は、羽根車の回転によって溝に沿ってボリュート室まで移送され、吐出口から吐出される。
【図面の簡単な説明】
【００１５】
【図１】本発明の一実施形態に係る渦巻ポンプの概略断面図である。
【図２】図１のＡ−Ａ線断面図である。
【図３】図１のＢ線矢視図である。
【図４】羽根車ケーシングの内面をモータ側から見た図である。
【図５】図１に示した渦巻ポンプのケーシングライナの断面図である
【図６】図１に示した渦巻ポンプの羽根車の斜視図である。
【図７】図６に示した後退翼の前縁部のＣ−Ｃ線断面図である。
【図８】図６に示した後退翼の前縁部のＤ−Ｄ線断面図である。
【図９】図６に示した後退翼の前縁部のＥ−Ｅ線断面図である。
【図１０】図１０（ａ）は、後退翼の前縁部に繊維状物質が載った状態を示す模式図であり、図１０（ｂ）は、後退翼の回転に伴って、繊維状物質が前縁部の外端に向かって円滑に移動する様子を示す模式図であり、図１０（ｃ）は、後退翼の回転に伴って、繊維状物質が前縁部の外端に到達した様子を示す模式図である。
【図１１】前縁部の外端まで導かれた繊維状物質が前縁部の前側曲面によってケーシングライナの内面に形成された溝に押し込まれる状態を示す模式図である。
【図１２】前縁部の厚さに対する前側曲面の曲率半径の比と、前縁部の厚さに対する後側曲面の曲率半径の比が１／２であり、前側曲面が後側曲面に接続されている前縁部の断面図である。
【図１３】図６に示した後退翼の後縁部のＦ−Ｆ線断面図である。
【図１４】図６に示した後退翼の後縁部のＧ−Ｇ線断面図である。
【図１５】図６に示した後退翼の後縁部のＨ−Ｈ線断面図である。
【図１６】溝を横切ったときの後縁部を示す断面図である。
【図１７】後退翼を有する羽根車を備えた渦巻ポンプを示す断面図である。
【図１８】羽根車を収容する羽根車ケーシングを吸込口側から見た図である。
【図１９】羽根車ケーシングの内面を駆動装置側から見た図である。
【図２０】繊維状物質が溝を通じてボリュート室に移送される様子を示す図である。
【図２１】繊維状物質が溝を通じてボリュート室に移送される様子を示す図である。
【図２２】繊維状物質が溝を通じてボリュート室に移送される様子を示す図である。
【図２３】繊維状物質が溝を通じてボリュート室に移送される様子を示す図である。
【図２４】繊維状物質が溝を通じてボリュート室に移送される様子を示す図である。
【発明を実施するための形態】
【００１６】
以下、本発明の実施形態について図面を参照して説明する。図１乃至図１６において、同一または相当する構成要素には、同一の符号を付して重複した説明を省略する。
図１は本発明の一実施形態に係る渦巻ポンプの概略断面図である。図１に示される渦巻ポンプは、例えば、下水管を流れる汚水などの液体を移送するために用いられる。図１に示すように、渦巻ポンプは回転軸１１の端部に固定された羽根車１と、羽根車１を収容する羽根車ケーシング５とを有する。回転軸１１は、モータ２０によって回転され、羽根車１は羽根車ケーシング５内で回転軸１１と一体に回転する。モータ２０と羽根車１との間には、メカニカルシール２１が配置されている。このメカニカルシール２１により、液体がモータ２０に浸入することが防止される。
【００１７】
羽根車ケーシング５は、羽根車１の周囲に配置されたケーシング本体６と、ケーシング本体６に接続されたケーシングライナ８とを有している。ケーシングライナ８には、円筒状の吸込口３が形成されている。ケーシング本体６の内部には、ボリュート室（渦室）７が形成され、ボリュート室７は、羽根車１の周囲を囲む形状を有している。ケーシング本体６には、吐出口４が形成される。
【００１８】
羽根車１を回転させると、液体は吸込口３から吸い込まれる。液体には羽根車１の回転により速度エネルギーが付与され、さらに、液体がボリュート室７を通ることによって速度エネルギーが圧力エネルギーに変換され、液体が昇圧される。昇圧された液体は、吐出口４から吐出される。羽根車１の翼（後退翼）２は、羽根車ケーシング５のケーシングライナ８の内面８ａと僅かな隙間をあけて対向している。この隙間は、例えば０．３ｍｍから０．７ｍｍの範囲にある。
【００１９】
図２は図１のＡ−Ａ線断面図である。図２に示すように、羽根車１は複数（本実施形態では２枚）の後退翼２と、円筒状のハブ１３とを備えている。羽根車１は、回転軸１１に固定されており、モータ（駆動装置）２０によって回転軸１１と一体に実線矢印方向に回転する。回転軸１１の端部はハブ１３に挿入され、羽根車１は締結具（図示しない）によって回転軸１１の端部に固定される。
【００２０】
後退翼２は、ハブ１３から螺旋状に延びる前縁部２ａと、前縁部２ａから螺旋状に延びる後縁部２ｂとを有している。後退翼２は、その基端から羽根車１の回転方向と逆方向に延びる螺旋形状を有している。
【００２１】
図２に示すように、羽根車ケーシング５にはボリュート室７の巻き始め部を構成する舌部１０が設けられている。ボリュート室７は、羽根車１の周方向に沿って延びつつ、断面積が徐々に拡大する形状を有している。ボリュート室７を流れる液体は舌部１０で分流され、液体の大部分は吐出口４に流れる一方で、液体の一部はボリュート室７内を循環する（図２に示す点線矢印参照）。
【００２２】
図３は図１のＢ線矢視図である。図３に示すように、羽根車ケーシング５には、吸込口３および吐出口４が形成されている。吸込口３および吐出口４はボリュート室７に連通している。吸込口３はケーシングライナ８に形成されており、吐出口４はケーシング本体６に形成されている。吸込口３から流入した液体は羽根車１の回転によりボリュート室７に周方向に吐出される。ボリュート室７を流れる液体は吐出口４を通って外部に排出される。
【００２３】
図４は羽根車ケーシング５の内面をモータ２０側から見た図であり、図５は、図１に示したケーシングライナ８の断面図である。図４では羽根車１の図示は省略されている。図４および図５に示すように、羽根車ケーシング５の内面、より具体的にはケーシングライナ８の内面８ａには、吸込口３からボリュート室７まで螺旋状に延びる溝１８が形成されている。この溝１８は、液体に含まれる繊維状物質を、回転する羽根車１によって吸込口３からボリュート室７に移動させるために設けられている。溝１８は、後退翼２の後縁部２ｂに対向する位置に配置されている。
【００２４】
溝１８は、吸込口３に接続された入口１８ａを有している。溝１８は、ケーシングライナ８の外周端まで延びている。このケーシングライナ８の外周端はボリュート室７に位置するので、溝１８は、吸込口３からボリュート室７まで延びる。
【００２５】
図６は、図１に示した渦巻ポンプの羽根車１の斜視図である。図６に示されるように、羽根車１は、回転軸１１が固定されるハブ１３を有する円板状のシュラウド１２と、ハブ１３から螺旋状に延びる後退翼２と、を有する。ハブ１３には、回転軸１１の端部が挿入される貫通孔１３ａが形成されている。後退翼２の全体は、ハブ１３から羽根車１の回転方向と逆方向に延びる螺旋形状を有している。
【００２６】
後退翼２は、ハブ１３から螺旋状に延びる前縁部２ａと、前縁部２ａから螺旋状に延びる後縁部２ｂを有する。前縁部２ａは、ハブ１３から羽根車１の回転方向と逆方向に延びている。したがって、前縁部２ａの外端２ｄは、回転軸１１の回転方向において、前縁部２ａの内端２ｃよりも後方に位置される。後縁部２ｂは、ケーシングライナ８の内面８ａと僅かな隙間をあけて対向している。羽根車１が回転したときに、前縁部２ａの外端２ｄは、溝１８の入口１８ａ（図５参照）を横切って移動する。
【００２７】
図７は、図６に示した後退翼２の前縁部２ａのＣ−Ｃ線断面図である。図８は、図６に示した後退翼２の前縁部２ａのＤ−Ｄ線断面図である。図９は、図６に示した後退翼２の前縁部２ａのＥ−Ｅ線断面図である。図７、図８、および図９に示されるように、前縁部２ａは、該前縁部２ａの内端２ｃから外端２ｄにわたって形成される前側曲面２ｅを有する。前側曲面２ｅは、前縁部２ａの最も前側の表面である。すなわち、前側曲面２ｅは、前縁部２ａの回転方向（すなわち、羽根車１の回転方向）において最も前側に位置する、前縁部２ａの表面であり、前縁部２ａの内端２ｃから外端２ｄにわたって形成される。
【００２８】
前側曲面２ｅの断面は、曲率半径ｒ１の円弧である。本実施形態では、曲率半径ｒ１は、図７、図８、および図９に示されるように、前縁部２ａの内端２ｃから外端２ｄにわたって一定である。前側曲面２ｅの曲率半径ｒ１は、前縁部２ａの内端２ｃから外端２ｄにわたって異なっていてもよい。例えば、前側曲面２ｅの曲率半径ｒ１は、ハブ１３からの距離に従って徐々に大きくなってもよいし、徐々に小さくなってもよい。
【００２９】
前縁部２ａは、その内端２ｃから外端２ｄにわたって形成される前側曲面２ｅを有しているので、図１０（ａ）に示されるように、前縁部２ａ上に載った繊維状物質３０は、図１０（ｂ）に示されるように、前縁部２ａに引っかかることなく、円滑に前縁部２ａの外端２ｄに向かって移動し、図１０（ｃ）に示されるように、前縁部２ａの外端２ｄに到達する。したがって、前縁部２ａは、繊維状物質３０を、溝１８の入口１８ａ（図５参照）まで円滑に導くことができる。
【００３０】
図１１は、前縁部２ａの外端２ｄまで導かれた繊維状物質３０が前側曲面２ｅによって溝１８に押し込まれる状態を示す模式図である。上述したように、羽根車１が回転したときに、後退翼２の前縁部２ａの外端２ｄは、ケーシングライナ８の内面８ａに形成された溝１８（図５および図４参照）を通過する。図１１に示されるように、外端２ｄまで導かれた繊維状物質３０は、該外端２ｄが溝１８上方を通過する時に、前側曲面２ｅによって溝１８に押し込まれる。前側曲面２ｅは、前縁部２ａの外端２ｄまで形成されているので、繊維状物質３０は、前縁部２ａの外端２ｄに引っかかることなく、前側曲面２ｅによって溝１８に押し込まれる。その結果、繊維状物質３０を溝１８内に確実に移動させることができる。
【００３１】
図７、図８、および図９に示されるように、前縁部２ａは、該前縁部２ａの内端２ｃから外端２ｄにわたって形成される後側曲面２ｆを有してもよい。後側曲面２ｆは、前縁部２ａの最も後側の面である。すなわち、後側曲面２ｆは、前縁部２ａの回転方向（すなわち、羽根車１の回転方向）において最も後側に位置する、前縁部２ａの表面であり、羽根車１の回転方向において前側曲面２ｅよりも後方に位置している。後側曲面２ｆは、前側曲面２ｅと同様に、前縁部２ａの内端２ｃから外端２ｄにわたって形成される。
【００３２】
後側曲面２ｆの断面は、曲率半径ｒ２の円弧である。本実施形態では、曲率半径ｒ２は、図７、図８、および図９に示されるように、前縁部２ａの内端２ｃから外端２ｄにわたって一定である。後側曲面２ｆの曲率半径ｒ２は、前側曲面２ｅの曲率半径ｒ１と同じであってもよいし、異なっていてもよい。さらに、後側曲面２ｆの曲率半径ｒ２は、前縁部２ａの内端２ｃから外端２ｄにわたって異なっていてもよい。例えば、後側曲面２ｆの曲率半径ｒ２は、ハブ１３からの距離に従って徐々に大きくなってもよいし、徐々に小さくなってもよい。
【００３３】
前縁部２ａが前側曲面２ｅだけでなく後側曲面２ｆも有している場合、繊維状物質３０をより円滑に前縁部２ａ上で滑らせることができる。その結果、前縁部２ａは、繊維状物質３０を前縁部２ａの外端２ｄにまで円滑に導くことができる。さらに、繊維状物質３０は、前縁部２ａの外端２ｄに引っかかりにくくなる。その結果、前縁部２ａの前側曲面２ｅは、繊維状物質３０を溝１８の入口１８ａ（図５参照）により確実に押し込むことができる。
【００３４】
上述したように、羽根車１の回転に伴って、前側曲面２ｅ上の繊維状物質３０は、前縁部２ａの外端２ｄに向かって滑る。前縁部２ａの厚さｔ（図７、図８、および図９参照）に対する前側曲面２ｅの曲率半径ｒ１の比（すなわち、ｒ１／ｔ）が小さくなるほど、前縁部２ａは尖っていく。ｒ１／ｔが１／７以上のときに、前縁部２ａに載った繊維状物質３０を、前縁部２ａの外端２ｄに向かってより円滑に導き、かつ溝１８により確実に押し込むことができることが確認されている。したがって、ｒ１／ｔは、好ましくは、１／７以上である。
【００３５】
ｒ１／ｔが、大きくなるほど、渦巻ポンプの吐出性能は低下する。渦巻ポンプの吐出性能の低下を抑制しつつ、繊維状物質３０を円滑に前縁部２ａの外端２ｄに滑らせるためのｒ１／ｔの最適値は１／４である。したがって、ｒ１／ｔが１／４以上であるのがより好ましい。
【００３６】
図１２は、前縁部２ａの厚さｔに対する前側曲面２ｅの曲率半径ｒ１の比（ｒ１／ｔ）と、前縁部２ａの厚さｔに対する後側曲面２ｆの曲率半径ｒ２の比（ｒ２／ｔ）が１／２であり、前側曲面２ｅが後側曲面２ｆに接続されている前縁部２ａの断面図である。図１２に示されるように、ｒ１／ｔおよびｒ２／ｔが１／２であり、前側曲面２ｅが後側曲面２ｆに接続されている場合、前縁部２ａの断面は完全な円弧となる。この場合、前縁部２ａが最も丸められた形状を有するので、繊維状物質３０は、より円滑に前縁部２ａ上を外端２ｄに向かって滑ることができる。したがって、ｒ１／ｔは、１／２以下であるのが好ましい。
【００３７】
図７、図８、および図９に示されるように、前縁部２ａの厚さｔは、ハブ１３からの距離に従って徐々に減少している。一方で、前側曲面２ｅの曲率半径ｒ１と、後側曲面２ｆの曲率半径ｒ２は、前縁部２ａの内端２ｃから外端２ｄまで一定である。したがって、ｒ１／ｔおよびｒ２／ｔは、ハブ１３からの距離に従って徐々に大きくなる。このような構成によれば、渦巻ポンプの吐出性能の低下を抑えつつ、前縁部２ａは、繊維状物質３０を、溝１８の入口１８ａ（図５参照）に向かって円滑に導くことができる。
【００３８】
次に、後縁部２ｂの形状について、図１３、図１４、および図１５を参照して説明する。図１３は、図６に示した後退翼２の後縁部２ｂのＦ−Ｆ線断面図である。図１４は、図６に示した後退翼２の後縁部２ｂのＧ−Ｇ線断面図である。図１５は、図６に示した後退翼２の後縁部２ｂのＨ−Ｈ線断面図である。
【００３９】
図１３、図１４、および図１５に示されるように、後縁部２ｂは、前縁部２ａの外端２ｄに接続された後縁部２ｂの始端から後縁部２ｂの終端２ｉ（図６参照）まで形成される前側角部２ｇと後側角部２ｈとを有する。前側角部２ｇは、後縁部２ｂの回転方向（すなわち、羽根車１の回転方向）において、該後縁部２ｂの最も前側に形成される。後側角部２ｈは、後縁部２ｂの回転方向（すなわち、羽根車１の回転方向）において、該後縁部２ｂの最も後側に形成され、羽根車１の回転方向において前側角部２ｇよりも後方に位置している。前側角部２ｇおよび後側角部２ｈは、前縁部２ａの外端２ｄに接続された後縁部２ｂの始端から後縁部２ｂの終端２ｉ（図６参照）まで形成される。前側角部２ｇと後側角部２ｈは、前縁部２ａの前側曲面２ｅと後側曲面２ｆとは対照的に、刃のような角のあるエッジ部として構成される。
【００４０】
図１６は、溝１８を横切ったときの後縁部２ｂを示す断面図である。図１６に示されるように、前側曲面２ｅによって溝１８に押し込まれた繊維状物質３０は、前側角部２ｇと後側角部２ｈに引っかかりながら、溝１８に沿って移動する。したがって、後縁部２ｂは、ボリュート室７まで、繊維状物質３０を容易に移動させることができる。さらに、図１６に示されるように、溝１８に沿って移動する繊維状物質３０は、前側角部２ｇおよび後側角部２ｈと、溝１８の角部１８ｃ，１８ｄとに挟まれて切断される効果を期待できる。分断された繊維状物質３０は、羽根車１の回転によって移送される液体と共にボリュート室７に移送され、吐出口４を通って吐出される。その結果、繊維状物質３０によって渦巻ポンプが閉塞されることを防止することができる。
【００４１】
本実施形態の羽根車１は、例えば、鋳造により製造される。金属ブロックを研削加工することによって、本実施形態の羽根車１を製造してもよい。鋳造により羽根車１を製造する場合、前縁部２ａの前側曲面２ｅおよび後側曲面２ｆに対応する部分に凹状曲面が形成された鋳型を用いて羽根車１を製造してもよいし、鋳造後の羽根車１に研磨加工や研削加工などの機械加工を施すことによって、前側曲面２ｅおよび後側曲面２ｆを形成してもよい。さらに、鋳造により羽根車２を製造する場合、後縁部２ｂの前側角部２ｇおよび後側角部２ｈを刃形状の角部に形成するために、前側角部２ｇおよび後側角部２ｈに対して研磨加工や研削加工などの機械加工を施すことが好ましい。
【００４２】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００４３】
１    羽根車
２    後退翼
２ａ  前縁部
２ｂ  後縁部
２ｃ  内端
２ｄ  外端
２ｅ  前側曲面
２ｆ  後側曲面
２ｇ  前側角部
２ｈ  後側角部
２ｉ  終端
３    吸込口
４    吐出口
５    ケーシング
６    ケーシング本体
７    ボリュート室
８    ケーシングライナ
８ａ  内面
１０    舌部
１１    回転軸
１２    シュラウド
１３    ハブ
１３ａ  貫通孔
１８    溝
２０    モータ
２１    メカニカルシール
３０    繊維状物質
【図１】
0006488167.tif 000002
【図２】
0006488167.tif 000003
【図３】
0006488167.tif 000004
【図４】
0006488167.tif 000005
【図５】
0006488167.tif 000006
【図６】
0006488167.tif 000007
【図７】
0006488167.tif 000008
【図８】
0006488167.tif 000009
【図９】
0006488167.tif 000010
【図１０】
0006488167.tif 000011
【図１１】
0006488167.tif 000012
【図１２】
0006488167.tif 000013
【図１３】
0006488167.tif 000014
【図１４】
0006488167.tif 000015
【図１５】
0006488167.tif 000016
【図１６】
0006488167.tif 000017
【図１７】
0006488167.tif 000018
【図１８】
0006488167.tif 000019
【図１９】
0006488167.tif 000020
【図２０】
0006488167.tif 000021
【図２１】
0006488167.tif 000022
【図２２】
0006488167.tif 000023
【図２３】
0006488167.tif 000024
【図２４】
0006488167.tif 000025